(57)【要約】【課題】ショートサーキットの発生を抑制させつつ一辺の長さが６００ｍｍ以下の室内機となるように小型化させつつ、所望の枠に対して容易に施工することが可能な天井埋め込み型空調室内機を提供する。【解決手段】天井裏空間の空気を調和して室内に供給する空気調和装置の室内機１であって、室内機ケーシング５０、室内ファン４２および室内熱交換器４１を備えている。室内機ケーシング５０は、側面に設けられた吸い込み口５１、５２と、下面に設けられた吹き出し口５５と、を有している。室内ファン４２は、室内機ケーシング５０内に配置され、吸い込み口５１、５２から吹き出し口５５に向かう空気流れを形成させる。室内熱交換器４１は、室内ファン４２と吸い込み口５１、５２との間に配置されている。【選択図】図３
2010164294.tif 000002
【特許請求の範囲】
【請求項１】
空調対象空間の天井の上方空間の空気を調和して前記空調対象空間に供給する天井埋め込み型空調室内機（１、１０１、２０１、３０１、４０１）であって、
側面の少なくとも一部に設けられた吸い込み口（５１、５２、５３）と、下面の少なくとも一部に設けられた吹き出し口（５５、２５５、３５５、４５５）と、を有し、下面の形状が略矩形であって一辺が６００ｍｍ以下である室内機ケーシング（５０、１５０、２５０、３５０、４５０）と、
前記室内機ケーシング（５０、１５０、２５０、３５０、４５０）内に配置され、前記吸い込み口（５１、５２、５３）から前記吹き出し口（５５、２５５、３５５、４５５）に向かう空気流れを形成させるファン（４２、２４２、３４２、４４２）と、
前記ファン（４２、２４２、３４２、４４２）と前記吸い込み口（５１、５２、５３）との間に配置された熱交換器（４１、２４１、４４１）と、
を備え、
前記天井は、格子状の枠（８）を有しており、
前記室内機ケーシング（５０、１５０、２５０、３５０、４５０）の下面の外縁は、前記枠（８）の内縁の内側に位置するようにもしくは前記枠（８）に沿うように配置されている、
天井埋め込み型空調室内機（１、１０１、２０１、３０１、４０１）。
【請求項２】
前記室内機ケーシング（５０）の下面の外縁は、前記枠（８）によって支持される、
請求項１に記載の天井埋め込み型空調室内機（１、１０１、２０１、３０１、４０１）。
【請求項３】
前記室内機ケーシング（５０）の下面の形状は、略正方形である、
請求項１または２に記載の天井埋め込み型空調室内機（１、１０１、２０１、３０１、４０１）。
【請求項４】
前記天井は、外縁が前記枠（８）の内縁の内側に位置するようにもしくは前記枠（８）に沿うように配置されている天井パネル（７）を有しており、
前記室内機ケーシング（１５０）の下面の外縁は、前記天井パネル（７）のくり抜き部分の縁の内側に位置するようにもしくは前記くり抜き部分の縁に沿うように配置されている、
請求項１に記載の天井埋め込み型空調室内機（１０１）。
【請求項５】
前記室内機ケーシング（１５０）の下面は、設置状態において、前記室内機ケーシング（１５０）の下端に位置しており、前記空調対象空間に面するように配置された下面部材（５５ａ）によって構成されている、
請求項４に記載の天井埋め込み型空調室内機（１０１）。
【請求項６】
前記室内機ケーシング（５０）は、前記吸い込み口（５１、５２、５３）が設けられていない非吸い込み側面（５０ｄ）を有している、
請求項１から５のいずれか１項に記載の天井埋め込み型空調室内機（１、１０１、２０１、３０１、４０１）。
【請求項７】
前記非吸い込み側面（５０ｄ）は、前記室内機ケーシング（３５０、４５０）の内部へのアクセスを可能にする点検口（３１９、４１９）を有している、
請求項６に記載の天井埋め込み型空調室内機（３０１、４０１）。
【請求項８】
前記熱交換器（４１）のうちの前記非吸い込み側面（５０ｄ）近傍の部分は、前記非吸い込み側面（５０ｄ）から離れるにつれて前記吸い込み口側面（５０ａ、５０ｂ）に近づくように配置されている、
請求項６または７に記載の天井埋め込み型空調室内機（１、１０１、３０１）。
【請求項９】
前記熱交換器（４１、２４１、４４１）は、一端から他端まで延びている伝熱管（３１、３２）を有しており、
前記伝熱管の一端（３１）および他端（３２）は、前記非吸い込み側面（５０ｄ）を貫通するように設けられている、
請求項６から８のいずれか１項に記載の天井埋め込み型空調室内機（１、１０１、２０１、３０１、４０１）。
【請求項１０】
少なくとも前記ファン（４２）の駆動制御を行う電装品部（８０、３８０、４８０）をさらに備えており、
前記電装品部（８０、３８０、４８０）は、前記非吸い込み側面（５０ｄ）の外側に配置されており、前記非吸い込み側面（５０ｄ）に固定されている、
請求項６から９のいずれか１項に記載の天井埋め込み型空調室内機（１、１０１、２０１、３０１、４０１）。
【請求項１１】
前記熱交換器（４１）において生じるドレン水を集め、前記非吸い込み側面（５０ｄ）を貫通して外側に向けて延びているドレン排水部（４８、４９）をさらに備えている、
請求項６から１０のいずれか１項に記載の天井埋め込み型空調室内機（１、１０１、２０１、３０１、４０１）。
【請求項１２】
少なくとも前記ファン（３４２、４４２）の駆動制御を行う電装品部（３８０、４８０）をさらに備え、
前記電装品部（３８０、４８０）の前記熱交換器（３４１、４４１）側の側面の全体が、前記ファン（３４２、４４２）が駆動した状態における前記熱交換器（３４１、４４１）の風上側に位置するように配置されている、
請求項１から９のいずれか１項に記載の天井埋め込み型空調室内機（３０１、４０１）。
【請求項１３】
前記室内機ケーシング（３５０、４５０）は、前記ファン（３４２、４４２）が駆動した状態において前記熱交換器（３４１、４４１）の風下側に位置している空間に面するように設けられ、前記室内機ケーシング（３５０、４５０）の内部へのアクセスを可能にする点検口（３１９、４１９）を有している、
請求項１から６のいずれか１項に記載の天井埋め込み型空調室内機（３０１、４０１）。
【請求項１４】
前記熱交換器（３４１、４４１）において生じるドレン水を集めて排水するためのドレン排水管（４８、４９）と、
少なくとも前記ファン（３４２、４４２）の駆動制御を行う電装品部（３８０、４８０）と、
をさらに備えており、
前記熱交換器（３４１、４４１）は、一端から他端まで延びている伝熱管（３１、３２）を有しており、
前記室内機ケーシング（３５０、４５０）は、前記室内機ケーシング（３５０、４５０）の内部へのアクセスを可能にする点検口（３１９、４１９）が設けられた貫通面（５０ｄ）を有しており、
前記貫通面（５０ｄ）には、前記ドレン排水管（４８、４９）が貫通しており、前記伝熱管（３１、３２）が貫通しており、前記電装品部（３８０、４８０）が取り付けられている、
請求項１から６のいずれか１項に記載の天井埋め込み型空調室内機（３０１、４０１）。
【請求項１５】
前記ファン（４２）は、軸方向が前記室内機ケーシング（５０）の下面の垂線方向と略平行であり、ターボファン（２４２、３４２、４４２）およびプロペラファン（４２）の少なくともいずれか一方である、
請求項１から１４のいずれか１項に記載の天井埋め込み型空調室内機（１、１０１、２０１、３０１、４０１）。
【請求項１６】
前記ファン（３４２、４４２）は、上面視の外縁が前記吹き出し口（３５５、４５５）の内側に配置されているターボファン（３４２、４４２）である、
請求項１５に記載の天井埋め込み型空調室内機（３０１、４０１）。
【請求項１７】
前記吸い込み口（５１、５２）と前記熱交換器（４１）との間に配置されるフィルタ（６１、６２）をさらに備え、
前記室内機ケーシング（５０）は、上下にスライドさせることで前記フィルタ（６１、６２）を着脱させるためのフィルタ上下収容開口（５６ｓ、５７ｓ）と、前記フィルタ上下収容開口（５６ｓ、５７ｓ）を覆うフィルタカバー（５６、５７、２５６、２５７）を有している、
請求項１から１６のいずれか１項に記載の天井埋め込み型空調室内機（１、２０１）。
【請求項１８】
前記吸い込み口（５１、５２）と前記熱交換器（４１）との間に配置されるフィルタ（３６１、３６２）をさらに備え、
前記室内機ケーシング（３５０）は、略水平方向にスライドさせることで前記フィルタ（３６１、３６２）を着脱させるためのフィルタ水平収容開口（３５６ｔ、３５７ｔ）を有している、
請求項１から１６のいずれか１項に記載の天井埋め込み型空調室内機（３０１）。
【請求項１９】
前記吸い込み口（５１、５２）と前記熱交換器（４４１）との間であって、上面視において、略四角形状の４つの辺のうちの少なくともいずれか２つの辺を構成する位置に配置された２つ以上のフィルタ（４６１、４６２、４６３）をさらに備え、
前記室内機ケーシング（４５０）の下面は、
前記フィルタ（４６１、４６２、４６３）を上下にスライドさせることで着脱可能
となるように２つ以上の前記フィルタ（４６１、４６２、４６３）の下方にそれぞれ
設けられたフィルタ上下収容開口（４５６ｔ、４５７ｔ、４５８ｔ）と、
前記フィルタ上下収容開口（４５６ｔ、４５７ｔ、４５８ｔ）を覆うフィルタカバ
ー（４５６、４５７、４５８）と、
前記略四角形状の前記４つの辺のうちの前記フィルタ（４６１、４６２、４６３）
が配置されていない辺を構成する部分の下方に設けられ、前記フィルタ上下収容開口
（４５６ｔ、４５７ｔ、４５８ｔ）と略等しい大きさの開口（４５９ｔ）と、
前記開口（４５９ｔ）を覆い、前記フィルタカバー（４５６、４５７、４５８）と
略等しい大きさのカバー（４５９）と、
を有することで下面視における形状対称性を有している、
請求項１から１６のいずれか１項に記載の天井埋め込み型空調室内機（４０１）。
【請求項２０】
前記熱交換器（４１、２４１、４４１）は、前記ファン（４２、２４２、４４２）の回転軸に対する径方向外側を囲むように配置されており、
前記ファン（４２、２４２、４４２）の回転軸に対する径方向における前記熱交換器（４１、２４１、４４１）の幅は、前記熱交換器（４１、２４１、４４１）の上下方向の幅よりも短い、
請求項１から１９のいずれか１項に記載の天井埋め込み型空調室内機（１、１０１、２０１、３０１、４０１）。
【発明の詳細な説明】
【技術分野】
【０００１】
本発明は、天井埋め込み型空調室内機に関する。
【背景技術】
【０００２】
従来より、室内の天井に埋め込むようにして設置して用いられている空気調和装置の室内機が存在する。
【０００３】
例えば、以下の特許文献１（特開２００１−１２４３６５号公報）に示す室内機では、下面中央に設けられた正方形の吸い込み口から室内空気を吸い込んで、熱交換器を通過させることで温度調和させた調和空気を、吸い込み口と同一面上の周囲に設けられた吹き出し口から室内に吹き出す構造が提案されている。
【発明の概要】
【発明が解決しようとする課題】
【０００４】
上記特許文献１（特開２００１−１２４３６５号公報）に記載の空気調和装置の室内機では、吸い込み口と吹き出し口とが同一面である室内機の下面側に設けられている。
【０００５】
このような室内機の吸い込み口と吹き出し口の構造は、従来の下面一辺が９００ｍｍ程度の室内機においては、ショートサーキットの問題が顕著にはならない。
【０００６】
しかし、上記空気調和装置の室内機と同じ構造で、下面一辺が６００ｍｍ以下となる程度まで室内機を小型化させようとすると、吹き出し口と吸い込み口との距離が短くなる。このため、吹き出し口から吹き出される調和空気が室内全体に供給される前に、室内機内が吸い込み口から吸い込んでしまうというショートサーキットの問題が生じる。
【０００７】
また、天井に埋め込むようにして施工される天井埋め込み型空調室内機については、従来より、施工作業の容易化が望まれている。
【０００８】
本発明は上述した点に鑑みてなされたものであり、本発明の課題は、ショートサーキットの発生を抑制させつつ一辺の長さが６００ｍｍ以下の室内機となるように小型化させつつ、所望の枠に対して容易に施工することが可能な天井埋め込み型空調室内機を提供することにある。
【課題を解決するための手段】
【０００９】
第１発明の天井埋め込み型空調室内機は、空調対象空間の天井の上方空間の空気を調和して空調対象空間に供給する天井埋め込み型空調室内機であって、室内機ケーシング、ファンおよび熱交換器を備えている。室内機ケーシングは、側面の少なくとも一部に設けられた吸い込み口と、下面の少なくとも一部に設けられた吹き出し口と、を有し、下面の形状が略矩形であって一辺が６００ｍｍ以下である。ファンは、室内機ケーシング内に配置され、吸い込み口から吹き出し口に向かう空気流れを形成させる。熱交換器は、ファンと吸い込み口との間に配置されている。天井は、格子状の枠を有している。室内機ケーシングの下面の外縁は、枠の内縁の内側に位置するようにもしくは枠に沿うように配置されている。なお、室内機ケーシングの下面の外縁が枠の内縁に対して勘合できる構造であってもよい。また、室内機ケーシングの下面の外縁が枠の内縁によって支持される構造であってもよい。
【００１０】
この天井埋め込み型空調室内機では、室内機の吸い込み口と吹き出し口とが同一面上に無いため、吸い込み口と同一面上の周囲に吹き出し口を設けていた従来の室内機と比較して、室内機の大きさを小型化させることができる。しかも、室内機をこのように小型化させる場合であっても、室内機ケーシングに設けられた吸い込み口と吹き出し口との間には、天井を構成する壁が存在するため、吹き出し口から空調対象空間に吹き出された空気は、すぐに吸い込み口から吸い込まれることがなく、調和対象空間に滞留させることができる。これにより、ショートサーキットの発生を抑制させつつ一辺の長さが６００ｍｍ以下の室内機となるように小型化させつつ、所望の枠に対して容易に施工することが可能になる。
【００１１】
第２発明の天井埋め込み型空調室内機は、第１発明の天井埋め込み型空調室内機であって、室内機ケーシングの下面の外縁は、枠によって支持されている。
【００１２】
この天井埋め込み型空調室内機では、室内機ケーシングの下面の外縁が、天井にある格子状の枠によって支持されるため、室内機ケーシングの位置決めおよび設置安定性を向上させることができる。
【００１３】
第３発明の天井埋め込み型空調室内機は、第１発明または第２発明の天井埋め込み型空調室内機であって、室内機ケーシングの下面の形状は、略正方形である。
【００１４】
この天井埋め込み型空調室内機では、吸い込み口を構成する各面の大きさをそろえることができ、吸い込みの隔たりを抑えて、均等な空調を行うことが可能になる。
【００１５】
第４発明の天井埋め込み型空調室内機は、第１発明の天井埋め込み型空調室内機であって、天井は、天井パネルを有している。天井パネルは、天井パネルの外縁が枠の内縁の内側に位置するように配置されているか、もしくは、天井パネルの外縁が枠に沿うように配置されている。室内機ケーシングの下面の外縁は、天井パネルのくり抜き部分の縁の内側に位置するように、もしくは、くり抜き部分の縁に沿うように配置されている。なお、天井パネルの外縁が枠の内縁に対して勘合できる構造であってもよい。また、天井パネルの外縁が枠の内縁によって支持される構造であってもよい。なお、室内機ケーシングの下面の外縁が天井パネルのくり抜き部分の内縁に対して勘合できる構造であってもよい。また、室内機ケーシングの下面の外縁が天井パネルのくり抜き部分の内縁によって支持される構造であってもよい。
【００１６】
この天井埋め込み型空調室内機では、室内機ケーシングを設置しようとする天井パネルを、室内機ケーシングの下面外縁形状に対応した形状となるようにくり抜くだけで、室内機を容易に施工することができるようになる。
【００１７】
第５発明の天井埋め込み型空調室内機は、第４発明の天井埋め込み型空調室内機であって、室内機ケーシングの下面は、下面部材によって構成されている。下面部材は、室内機ケーシングの設置状態において、室内機ケーシングの下端に位置しており、空調対象空間に面するように配置されている。
【００１８】
この天井埋め込み型空調室内機では、室内機ケーシングの下面部材の平面視における外縁が、天井パネルのくり抜き部分の縁の内側に位置するように、もしくは、くり抜き部分の縁に沿うように配置されている。これにより、施工時において、天井パネルのくり抜き部分の縁と、室内機ケーシングの下面部材の外縁とを対応させやすくすることが可能になる。
【００１９】
第６発明の天井埋め込み型空調室内機は、第１発明から第５発明のいずれかの天井埋め込み型空調室内機であって、室内機ケーシングは、吸い込み口が設けられていない非吸い込み側面を有している。
【００２０】
この天井埋め込み型空調室内機では、メンテナンスの際に必要となる作業スペースを、非吸い込み側面側に確保させやすくなる。
【００２１】
第７発明の天井埋め込み型空調室内機は、第６発明の天井埋め込み型空調室内機であって、非吸い込み側面は、室内機ケーシングの内部へのアクセスを可能にする点検口を有している。
【００２２】
この天井埋め込み型空調室内機では、メンテナンスの際に必要となる作業スペースを非吸い込み面側に確保することで、点検口を介した室内機ケーシング内部へのアクセスがより容易になる。
【００２３】
第８発明の天井埋め込み型空調室内機は、第６発明または第７発明のいずれかの天井埋め込み型空調室内機であって、熱交換器のうちの非吸い込み側面近傍の部分は、非吸い込み側面から離れるにつれて吸い込み口側面に近づくように配置されている。
【００２４】
この天井埋め込み型空調室内機では、吸い込み口が設けられていない非吸い込み側面と、熱交換器のうち非吸い込み側面近傍に配置される部分とが、上面視において平行にならないように配置されている。このため、吸い込み口を介して取り込まれた空気を、非吸い込み側面近傍の非平行に配置されている熱交換器の部分に供給しやすくなっている。これにより、吸い込み口が設けられていない非吸い込み側面が設けられている場合であっても、熱交換効率を向上させることができている。
【００２５】
第９発明の天井埋め込み型空調室内機は、第６発明から第８発明のいずれかの天井埋め込み型空調室内機であって、熱交換器は、一端から他端まで延びている伝熱管を有している。伝熱管の一端および他端は、非吸い込み側面を貫通するように設けられている。
【００２６】
この天井埋め込み型空調室内機では、伝熱管を室内機ケーシングの側面に貫通させることで、室内機ケーシングの上下方向の寸法の大型化を防ぐことができる。そして、吹き出し側面を貫通させることなく非吸い込み側面を貫通させるように伝熱管を配置させているため、ファンによって形成される空気流れの抵抗になりにくく、通風抵抗の増大を小さく抑えることができている。
【００２７】
第１０発明の天井埋め込み型空調室内機は、第６発明から第９発明のいずれかの天井埋め込み型空調室内機であって、少なくともファンの駆動制御を行う電装品部をさらに備えている。電装品部は、非吸い込み側面の外側に配置されており、非吸い込み側面に固定されている。
【００２８】
この天井埋め込み型空調室内機では、電装品部と伝熱管とを、室内機ケーシングの同一側面近傍に集めて配置させることで、通風抵抗の増大を小さく抑えることができる。また、室内機ケーシングの側面から外側に突出している部分が同一方向にまとめられていることで、室内機の施工性を向上させることができている。
【００２９】
第１１発明の天井埋め込み型空調室内機は、第６発明から第１０発明のいずれかの天井埋め込み型空調室内機であって、熱交換器において生じるドレン水を集め、非吸い込み側面を貫通して外側に向けて延びているドレン排水部をさらに備えている。
【００３０】
この天井埋め込み型空調室内機では、ドレン排水部と伝熱管とを、室内機ケーシングの同一側面近傍に集めて配置させることで、通風抵抗の増大を小さく抑えることができる。また、室内機ケーシングの側面から外側に突出している部分が同一方向にまとめられていることで、室内機の施工性を向上させることができている。
【００３１】
第１２発明の天井埋め込み型空調室内機は、第１発明から第９発明のいずれかの天井埋め込み型空調室内機であって、電装品部をさらに備えている。電装品部は、少なくともファンの駆動制御を行う。電装品部の熱交換器側の側面の全体が、ファンが駆動した状態における熱交換器の風上側に位置するように配置されている。
【００３２】
この天井埋め込み型空調室内機では、電装品部の熱交換器側の側面の全体が、熱交換器の風上側と風下側とをまたぐように配置されるのではなく、熱交換器の風上側に位置するように配置されている。このため、電装品部の熱交換器側の側面において、周囲を通過する空気の温度の違いを小さく抑えることができる。これにより、電装品部の熱交換器側の側面において生じる結露を抑制することができ、電装品部の熱交換器側の側面の内側に断熱材を設ける必要を無くすることができる。
【００３３】
第１３発明の天井埋め込み型空調室内機は、第１発明から第９発明のいずれかの天井埋め込み型空調室内機であって、室内機ケーシングは、ファンが駆動した状態において熱交換器の風下側に位置している空間に面するように設けられ、室内機ケーシングの内部へのアクセスを可能にする点検口を有している。
【００３４】
この天井埋め込み型空調室内機では、サービスエンジニアやユーザ等が熱交換器の下流側に配置されている部品等をメンテナンスする場合であっても、点検口を介して腕等を挿入することで、熱交換器を取り除くことなく部品等へのアクセスをすることが可能になる。
【００３５】
第１４発明の天井埋め込み型空調室内機は、第１発明から第９発明のいずれかの天井埋め込み型空調室内機であって、ドレン排水管および電装品部をさらに備えている。ドレン排水管は、熱交換器において生じるドレン水を集めて排水する。電装品部は、少なくともファンの駆動制御を行う。熱交換器は、一端から他端まで延びている伝熱管を有している。室内機ケーシングは、室内機ケーシングの内部へのアクセスを可能にする点検口が設けられた貫通面を有している。貫通面には、ドレン排水管が貫通しており、伝熱管が貫通しており、電装品部が取り付けられている。
【００３６】
この天井埋め込み型空調室内機では、点検口が設けられている貫通面に、ドレン排水管および伝熱管が貫通しており、電装品部が取り付けられている。このため、サービスエンジニアやユーザ等は、貫通面の外側からアクセスするだけで、点検口を介した室内機ケーシングの内部のメンテナンス、ドレン排水管のメンテナンス、伝熱管のメンテナンスおよび電装品部のメンテナンスを行うことができる。このため、メンテナンスする対象ごとにアクセス方向を変更する、という手間を省くことができる。
【００３７】
第１５発明の天井埋め込み型空調室内機は、第１発明から第１４発明のいずれかの天井埋め込み型空調室内機であって、ファンは、軸方向が室内機ケーシングの下面の垂線方向と略平行であり、ターボファンおよびプロペラファンの少なくともいずれか一方である。
【００３８】
この天井埋め込み型空調室内機では、室内機を小型化させた場合であっても、風量を確保しやすい。
【００３９】
第１６発明の天井埋め込み型空調室内機は、第１５発明の天井埋め込み型空調室内機であって、ファンは、上面視の外縁が吹き出し口の内側に配置されているターボファンである。
【００４０】
この天井埋め込み型空調室内機では、空気流れをターボファンが形成しており、ターボファンの上面視の外縁が吹き出し口の内側に配置されている。このため、ターボファンによって、空気流れの進行方向に、径方向成分を生じさせることができる。さらに、径方向成分を有する空気流れは、より外側に配置されている吹き出し口を介することで、径方向成分を維持もしくは増大させながら空調対象空間に提供することができる。このように、空気流れ方向に径方向成分が含まれているため、空調対象空間に存在するユーザに与えるドラフト感を低減させることができるとともに、吹き出し口とターボファンとが協働して空気流れの進行方向を徐々に径方向に向けることができているため、吹き出し口の配置形状等を利用して空気流れの進行方向を急激に曲げる場合と比較して、通風抵抗を小さく抑えることが可能になる。
【００４１】
第１７発明の天井埋め込み型空調室内機は、第１発明から第１６発明のいずれかの天井埋め込み型空調室内機であって、吸い込み口と熱交換器との間に配置されるフィルタをさらに備えている。室内機ケーシングは、上下にスライドさせることでフィルタを着脱させるためのフィルタ上下収容開口と、フィルタ上下収容開口を覆うフィルタカバーを有している。
【００４２】
この天井埋め込み型空調室内機では、フィルタカバーによってフィルタ上下収容開口を閉じることができるため、フィルタ上下収容開口を通じた調和空気のショートカットを防止することができる。
【００４３】
第１８発明の天井埋め込み型空調室内機は、第１発明から第１６発明のいずれかの天井埋め込み型空調室内機であって、吸い込み口と熱交換器との間に配置されるフィルタをさらに備えている。室内機ケーシングは、略水平方向にスライドさせることでフィルタを着脱させるためのフィルタ水平収容開口を有している。
【００４４】
この天井埋め込み型空調室内機では、上下にスライドさせることで着脱ができるため、吹きだし口の位置とフィルタの位置とが上下方向に重なって配置させることができる。また、室内機の水平面上の大型化を抑えることができる。
【００４５】
第１９発明の天井埋め込み型空調室内機は、第１発明から第１６発明のいずれかの天井埋め込み型空調室内機であって、２つ以上のフィルタをさらに備えている。２つ以上のフィルタは、吸い込み口と熱交換器との間であって、上面視において、略四角形状の４つの辺のうちの少なくともいずれか２つの辺を構成する位置に配置されている。室内機ケーシングの下面は、フィルタ上下収容開口と、フィルタカバーと、開口と、カバーと、を有することで下面視における形状対称性を有している。フィルタ上下収容開口は、フィルタを上下にスライドさせることで着脱可能となるように２つ以上のフィルタの下方にそれぞれ設けられている。フィルタカバーは、フィルタ上下収容開口を覆っている。開口は、略四角形状の４つの辺のうちのフィルタが配置されていない辺を構成する部分の下方に設けられ、フィルタ上下収容開口と略等しい大きさである。カバーは、開口を覆い、フィルタカバーと略等しい大きさである。なお、室内機ケーシングの下面の形状は、フィルタ上下収容開口、フィルタカバー、開口およびカバーの配置とは関係がなくてもよく、例えば、略多角形状であっても、略円形状であってもよい。また、室内機ケーシングは、下面が、部品の一つとして独立していること、もしくは、取り外し可能であること、が好ましい。
【００４６】
この天井埋め込み型空調室内機では、室内機ケーシングの下面において、フィルタ上下収容開口、フィルタカバー、開口およびカバーの配置に対称性があるため、室内機ケーシングの下面を据え付ける際に、方向性を意識する必要が無くなり、取付作業性を向上させることができる。
【００４７】
第２０発明の天井埋め込み型空調室内機は、第１発明から第１９発明のいずれかの天井埋め込み型空調室内機であって、熱交換器は、ファンの回転軸に対する径方向外側を囲むように配置されている。ファンの回転軸に対する径方向における熱交換器の幅は、熱交換器の上下方向の幅よりも短い。
【００４８】
この天井埋め込み型空調室内機では、ファンの軸方向に対する径方向の熱交換器の幅が熱交換器の上下方向の幅よりも短くなるようにすることで、径方向の幅を薄くした場合であっても上下方向の幅を長くすることによって能力を確保しつつ、径方向の幅を薄くすることで室内機の平面視形状を小型化させることが可能になる。
【発明の効果】
【００４９】
第１発明の天井埋め込み型空調室内機では、ショートサーキットの発生を抑制させつつ一辺の長さが６００ｍｍ以下の室内機となるように小型化させつつ、所望の枠に対して容易に施工することが可能になる。
【００５０】
第２発明の天井埋め込み型空調室内機では、室内機ケーシングの位置決めおよび設置安定性を向上させることができる。
【００５１】
第３発明の天井埋め込み型空調室内機では、吸い込み口を構成する各面の大きさをそろえることができ、吸い込みの隔たりを抑えて、均等な空調を行うことが可能になる。
【００５２】
第４発明の天井埋め込み型空調室内機では、室内機ケーシングを設置しようとする天井パネルを、室内機ケーシングの下面外縁形状に対応した形状となるようにくり抜くだけで、室内機を容易に施工することができるようになる。
【００５３】
第５発明の天井埋め込み型空調室内機では、施工時において、天井パネルのくり抜き部分の縁と、室内機ケーシングの下面部材の外縁とを対応させやすくすることが可能になる。
【００５４】
第６発明の天井埋め込み型空調室内機では、メンテナンスの際に必要となる作業スペースを、非吸い込み側面側に確保させやすくなる。
【００５５】
第７発明の天井埋め込み型空調室内機では、点検口を介した室内機ケーシング内部へのアクセスがより容易になる。
【００５６】
第８発明の天井埋め込み型空調室内機では、熱交換効率を向上させることができている。
【００５７】
第９発明の天井埋め込み型空調室内機では、ファンによって形成される空気流れの抵抗になりにくく、通風抵抗の増大を小さく抑えることができている。
【００５８】
第１０発明の天井埋め込み型空調室内機では、室内機の施工性を向上させることができている。
【００５９】
第１１発明の天井埋め込み型空調室内機では、室内機の施工性を向上させることができている。
【００６０】
第１２発明の天井埋め込み型空調室内機では、電装品部の熱交換器側の側面において生じる結露を抑制することができ、電装品部の熱交換器側の側面の内側に断熱材を設ける必要を無くすることができる。
【００６１】
第１３発明の天井埋め込み型空調室内機では、熱交換器を取り除くことなく部品等へのアクセスをすることが可能になる。
【００６２】
第１４発明の天井埋め込み型空調室内機では、メンテナンスする対象ごとにアクセス方向を変更する、という手間を省くことができる。
【００６３】
第１５発明の天井埋め込み型空調室内機では、室内機を小型化させた場合であっても、風量を確保しやすい。
【００６４】
第１６発明の天井埋め込み型空調室内機では、空調対象空間に存在するユーザに与えるドラフト感を低減させることができるとともに、吹き出し口の配置形状等を利用して空気流れの進行方向を急激に曲げる場合と比較して、通風抵抗を小さく抑えることが可能になる。
【００６５】
第１７発明の天井埋め込み型空調室内機では、フィルタ上下収容開口を通じた調和空気のショートカットを防止することができる。
【００６６】
第１８発明の天井埋め込み型空調室内機では、室内機の水平面上の大型化を抑えることができる。
【００６７】
第１９発明の天井埋め込み型空調室内機では、室内機ケーシングの下面を据え付ける際に、方向性を意識する必要が無くなり、取付作業性を向上させることができる。
【００６８】
第２０発明の天井埋め込み型空調室内機では、能力を確保しつつ、径方向の幅を薄くすることで室内機の平面視形状を小型化させることが可能になる。
【図面の簡単な説明】
【００６９】
【図１】第１実施形態の天井埋め込み型空調室内機の外観斜視図である。
【図２】第１実施形態の天井埋め込み型空調室内機の平面視断面図である。
【図３】第１実施形態の天井埋め込み型空調室内機の側面視断面図である。
【図４】第１実施形態の天井埋め込み型空調室内機が設置される天井構成図である。
【図５】第１実施形態の天井埋め込み型空調室内機の設置状態を示す側面図である。
【図６】第１実施形態の天井埋め込み型空調室内機の設置途中の状態を示す側面図である。
【図７】第１実施形態の天井埋め込み型空調室内機のフィルタ交換構造を示す図である。
【図８】第１実施形態の変形例（Ａ）の天井埋め込み型空調室内機の側面視分解断面図である。
【図９】第１実施形態の変形例（Ａ）の天井埋め込み型空調室内機の側面視断面図である。
【図１０】第１実施形態の変形例（Ｂ）の天井埋め込み型空調室内機の平面視断面図である。
【図１１】第２実施形態の天井埋め込み型空調室内機の外観斜視図である。
【図１２】第２実施形態の天井埋め込み型空調室内機の平面視断面図である。
【図１３】第２実施形態の天井埋め込み型空調室内機の側面視断面図である。
【図１４】第２実施形態の天井埋め込み型空調室内機のフィルタ交換構造を示す図である。
【図１５】第３実施形態の天井埋め込み型空調室内機の外観斜視図である。
【図１６】第３実施形態の天井埋め込み型空調室内機の平面視断面図である。
【図１７】第３実施形態の天井埋め込み型空調室内機の空気流れの様子を示す概略断面図である。
【図１８】第３実施形態の天井埋め込み型空調室内機のメンテナンス面側の側面図である。
【図１９】第３実施形態の天井埋め込み型空調室内機のメンテナンス面側から見た室内機ケーシング内部の配置構成図である。
【図２０】第３実施形態の天井埋め込み型空調室内機のメンテナンス面における点検口蓋を取り外した状態の外観斜視図である。
【図２１】第３実施形態の天井埋め込み型空調室内機のメンテナンス面における点検口蓋を取り付けた状態の外観斜視図である。
【図２２】第４実施形態の天井埋め込み型空調室内機の外観斜視図である。
【図２３】第４実施形態の天井埋め込み型空調室内機の平面視断面図である。
【図２４】従来の天井埋め込み型空調室内機の平面視断面図である。
【図２５】従来の天井埋め込み型空調室内機の側面視断面図である。
【発明を実施するための形態】
【００７０】
＜第１実施形態＞
以下、本発明の一実施形態に係る天井埋め込み型空調室内機１を、図面を参照しつつ説明する。
【００７１】
（天井埋め込み型空調室内機１）
空気調和装置は、屋外に設置されている室外機と冷媒配管を通じて接続されることで構成されているが、ここでは、図示を省略する。
【００７２】
天井埋め込み型空調室内機１は、図４に示すような格子状の天井に設置されて、天井裏の空気を吸い込んで調和し、天井下の室内空間に対する調和空気の供給を行う。
【００７３】
この室内機１は、図１の外観斜視図、図２の平面視断面図、および、図３の側面視断面図において示すように、ガス管３１、液管３２、室内熱交換器４１、室内ファン４２、ドレンポンプ４８、ドレン配管４９、室内機ケーシング５０、エアフィルタ６１、６２、電装品箱８０、ドレンパン１４、フロートスイッチ１１、および、電磁弁１５等を備えている。
【００７４】
室内機１が設置される天井は、図４に示すように、格子状に延びる天井枠８と、天井枠８の枠と枠の間に介在する空間に対してそれぞれ固定される正方形の天井パネル７と、を有している。天井パネル７は、１つの天井枠８の面積よりもわずかに広い面積を有しており、外縁を構成する４辺の各辺が天井枠８と鉛直方向に重なって固定されている。室内機１は、図４中において天井パネル７が抜かれた部分として示す空隙Ｅの部分に対してちょうどはめ込まれるようにして設置される。なお、この天井枠８によって構成される１つの空隙Ｅは、６００ｍｍ角の正方形である。
【００７５】
ガス管３１は、室内熱交換器４１を構成している伝熱管の一端に、液管３２は、室内熱交換器４１を構成している伝熱管の他端に、それぞれ接続されている。このガス管３１および液管３２は、図示しない室外機まで延びている。
【００７６】
室内機ケーシング５０は、天井裏の空間の空気を内部に取りこむための第１吸い込み口５１が設けられた第１側面５０ａ、第２吸い込み口５２が設けられた第２側面５０ｂと、メンテナンスを行うためのメンテナンス面５０ｄと、メンテナンス面５０ｄと対向する第３側面５０ｃと、調和された空気を室内に吹き出すための吹き出し口５５が設けられた下面５０ｅと、室内機１を吊り下げ状態で天井裏に固定させるための吊金具５９を有している。第１吸い込み口５１が設けられた第１側面５０ａと、第２吸い込み口５２が設けられた第２側面５０ｂとは、互いに対向するように位置している。下面５０ｅは、上述した１つの天井パネル７と略同一の外縁形状および大きさを有しており、天井のうち、室内機１を設置しようとする部分に取り付けられている天井パネル７と室内機１の室内機ケーシング５０の下面５０ｅと取り替えることで、天井面の意匠性を悪化させることなく設置することができる。室内機ケーシング５０の下面５０ｅは、吹き出し口５５を形作るために吹き出し口５５の周囲に配置されている吹き出し口構成部５５ａを有している。さらに、室内機ケーシング５０の下面５０ｅは、外縁と吹き出し口構成部５５ａとの間に、後述するエアフィルタ６１、６２を取り出すためのフィルタ取り出し口５６ｓ、５７ｓおよび、各フィルタ取り出し口５６ｓ、５７ｓを閉じるために設けられたフィルタカバー５６、５７を有している。吊金具５９は、室内機ケーシング５０の対角線上外側の４カ所において、外側に突出するようにして形成されている。
【００７７】
室内ファン４２は、室内機ケーシング５０の内部に、軸方向が略鉛直方向となるように配置されたプロペラファンである。室内ファン４２は、鉛直方向上方に配置された室内ファンモータ４２ｍからの駆動力によって回転し、室内機ケーシング５０の吸い込み口５１、５２を介して天井裏の空気を取りこんで、吹き出し口５５を介して室内に吹き出すという空気流れＦ１を形成する。このようにプロペラファンを採用することで、室内機１を小型化させた場合であっても、風量を確保させやすくなっている。
【００７８】
室内熱交換器４１は、室内機ケーシング５０の内側に、軸方向が鉛直方向となるように略円筒状に配置されており、室内ファン４２と室内機ケーシング５０の側面との間に位置している。第１側面５０ａおよび第２側面５０ｂ近傍の部分は、それぞれ第１側面５０ａおよび第２側面５０ｂに対して平行となるように配置され、第３側面５０ｃの中心近傍で連続している。なお、室内熱交換器４１は、第３側面５０ｃから離れるにつれて、第１側面５０ａ側は第１吸い込み口５１側に近づくように、第２側面５０ｂ側は第２吸い込み口５２側に近づくように、それぞれ配置されている。これにより、室内機ケーシング５０が、第１側面５０ａと第２側面５０ｂとの２つの側面でのみ吸い込みを行う場合であっても、室内熱交換器４１には第３側面５０ｃと平行な面が少なく、第３側面５０ｃに対して傾斜して配置さているため、第３側面５０ｃ近傍の部分においても効率良く熱交換させることができるようになっている。また、室内熱交換器４１は、軸方向が略垂直方向となるように配置されるため、水平面での室内機ケーシング５０の大きさを小さくする場合であっても、鉛直方向にスペースが確保できる場合には、熱交換器の能力を確保できるだけの大きさのものを採用することで、水平面積の狭小化と能力維持とを両方実現させることができる。
【００７９】
ドレンパン１４は、室内熱交換器４１の下方を覆うように配置されている。
【００８０】
フロートスイッチ１１は、ドレンパン１４の上側に配置されており、ドレンパン１４に溜まった凝縮水の水位を把握することでドレンポンプ４８の駆動制御を開始させたり停止させたりする。
【００８１】
電動弁１５は、室内機ケーシング５０の内部であって、メンテナンス面５０ｄ側近傍に配置されている。
【００８２】
ドレンポンプ４８は、室内熱交換器４１の表面において生じた結露水をくみ上げて排出するための、くみ上げポンプである。このドレンポンプ４８によってくみ上げられた水は、ドレン配管４９を介して排水される。なお、ここでは、室内熱交換器４１の表面において生じた結露水は、室内熱交換器４１の下方に拡がっているドレンパン１４に捕らえられる。これによって、ドレンポンプ４８は、ドレンパン１４に捕らえられた結露水をくみ上げることができる。
【００８３】
エアフィルタ６１、６２は、天井裏の空気が、室内機ケーシング５０内に取り込まれる前に、空気の清浄化を行う。エアフィルタ６１、６２は、それぞれ、エアフィルタ６１、６２を出し入れするためのフィルタ取り出し口５６ｓ、５７ｓを介して略鉛直方向に出し入れされる。また、フィルタカバー５６、５７によって各フィルタ取り出し口５６ｓ、５７ｓを閉じることができるため、エアフィルタ６１、６２は、使用時にフィルタリング機能を発揮できる位置に固定される。また、このようにフィルタカバー５６、５７が、吹き出し口５５の近傍に配置されていることで、フィルタ取り出し口５６ｓ、５７ｓを通じた調和空気のショートカットが生じるおそれを低減させることができている。
【００８４】
電装品箱８０は、室内機ケーシング５０のメンテナンス面５０ｄ側に取り付けられており、室内機１の各構成部品の制御を行う。
【００８５】
なお、上述したガス管３１、液管３２、ドレン配管４９および電装品箱８０は、いずれも室内機ケーシング５０のメンテナンス面５０ｄ側に集められるように配置されている。このため、天井面に対して室内機１を取り付けた後に、これらのガス管３１、液管３２、ドレン配管４９および電装品箱８０のいずれかをメンテナンスする場合には、メンテナンスを行う者は、同一方向からアクセスすることで、アクセス方向を変えることなく、いずれの部品についても手が届き、メンテナンスすることができるようになる。また、メンテナンス面５０ｄ近傍においては、室内熱交換器４１の有効面積が小さいため、熱交換能力を阻害する要因を小さくしつつ、第１側面５０ａ、第２側面５０ｂおよび第３側面５０ｃ近傍の熱交換効率の良好なエリアには、これらの部材が配置されていないために、通風抵抗を小さく抑えることができている。
【００８６】
（室内機１の設置）
上述した室内機１は、図５および図６に示すように、天井を構成している枠８および天井パネル７のうち、１つの天井パネル７を取り外して、室内機１の設置スペースを空けることで取り付ける。
【００８７】
このように、図４で示す空隙Ｅに室内機１を配置させる場合には、まず、図６に示すように、天井の下側から天井裏側に室内機１を持ち込む必要がある。この場合、室内機１は、空隙Ｅを通過することになるが、上述したように、平面視の長手方向に延びている電装品箱８０、ガス管３１、液管３２およびドレン配管４９側もしくはこれを対向する側が先端となるように空隙Ｅを通過させることで、室内機１の大きさが大きい場合でも通過しやすくさせることができる。
【００８８】
なお、室内機１は、室内機ケーシング５０の下面５０ｅの外縁を枠８の内側に配置させた状態で、４つの吊り下げ棒９をそれぞれ４つの吊金具５９に固定させることにより施工されている。なお、室内機ケーシング５０の下面５０ｅの外縁と、枠８の内側とは、隙間が介在しないように勘合する形状をそれぞれが有している。
【００８９】
（エアフィルタ６１、６２の着脱）
図７に示すように、エアフィルタ６１、６２は、それぞれ、フィルタ取り出し口５６ｓ、５７ｓを開けて、フィルタ取り出し口５６ｓ、５７ｓを介して鉛直方向にスライドさせることで、着脱させることができる。
【００９０】
これにより、天井裏に回り込むことなく、エアフィルタ６１、６２の交換もしくは洗浄等のメンテナンス作業を容易に行うことができる。
【００９１】
＜第１実施形態の空気調和装置１の特徴＞
第１実施形態の天井埋め込み型空調室内機１と対比を示すために、図２４および図２５を用いて、従来の室内機９０１を例に挙げて説明する。
【００９２】
従来の室内機９０１は、天井に設置され、下面中央付近に設けられた吸い込み口９５１から室内空気を吸い込み、下面外縁近傍に設けられた４つの吹き出し口９５５から調和空気を室内に戻すように構成されている。この空気流れＦ９０１については、上記第１実施形態と同様に、ベルマウス９４２ｂの上方に配置された室内ファン９４２を室内ファンモータ９４２ｍの駆動力によって回転させることで生じるようになる。また、室内熱交換器９４１は、４つの吹き出し口９５５の内側近傍を通過するように配置されている。
【００９３】
これに対して、第１実施形態の天井埋め込み型空調室内機１では、吸い込み口５１、５２と吹き出し口５５とが同一面上に無いため、吸い込み口９５１と同一面上の周囲に吹き出し口９５５を設けていた従来の室内機９０１と比較して、室内機１の大きさを小型化させることができる。しかも、室内機１をこのように小型化させる場合であっても、室内機ケーシング５０に設けられた吸い込み口５１、５２と吹き出し口５５との間には、天井を構成する天井枠８および天井パネル７が介在しているため、吹き出し口５５から室内に吹き出された空気は、すぐに吸い込み口５１、５２から吸い込まれることがなく、調和対象空間に滞留させることができる。これにより、ショートサーキットの発生を抑制させつつ、室内機１を小型化させることができている。
【００９４】
また、上記室内機１の室内機ケーシング５０は、平面視正方形であるため、吸い込み口５１、５２を構成する各面５０ａ、５０ｂの大きさをそろえることができ、吸い込みの隔たりを抑えて、均等な空調を行うことができている。
【００９５】
＜第１実施形態の変形例＞
以上、本発明の第１実施形態について図面に基づいて説明したが、具体的な構成は、これに限られるものではなく、発明の要旨を逸脱しない範囲で変更可能である。
【００９６】
（Ａ）
上記第１実施形態では、室内機ケーシング５０の下面５０ｅと、天井パネル７とが対応した形状および大きさである場合を例に挙げて説明した。
【００９７】
しかし、本発明はこれに限られるものではない。
【００９８】
例えば、図８および図９に示すように、室内機ケーシング１５０の下面の形状および大きさが、天井パネル７の形状および大きさに対応していない場合であってもよい。このような室内機ケーシング１５０を有する室内機１０１の設置方法としては、例えば、図８および図９に示すように、１つの天井パネル７を予め室内機ケーシング１５０の下面形状および大きさに対応するようにカットする等し、その後に、吹き出し口構成部５５ａと、室内機ケーシング１５０の残りの部分と、によって天井パネル７のカットされた部分を鉛直方向から狭持するようにして設置するようにしてもよい。この場合には、施工時において天井パネル７にくり抜き部分を形成させることで、室内機ケーシング１５０の吹き出し口構成部５５ａの外縁と対応させやすくすることができ、施工性を向上させることが可能になる。なお、吹き出し口構成部５５ａと、室内機ケーシング５０の残りの部分とを、ネジ５５ｂによって螺着させることで、より強固な固定構造とすることができる。
【００９９】
（Ｂ）
上記第１実施形態では、エアフィルタ６１、６２を鉛直方向に着脱可能とするために、フィルタカバー５６、５７およびフィルタ取り出し口５６ｓ、５７ｓが設けられた室内機ケーシング５０を例に挙げて説明した。
【０１００】
しかし、本発明はこれに限られるものではない。
【０１０１】
例えば、図１０に示すように、室内機ケーシング１５０の第３側面５０ｃにおいて、水平方向に開口したフィルタ取り出し口１５６ｓ、１５７ｓを設けるようにしてもよい。この場合には、エアフィルタ１６１、１６２のメンテナンスは、天井裏の空間で行う必要があるが、上記第１実施形態のようにフィルタカバー５６、５７を室内側である室内機ケーシング５０の下面５０ｅに形成させる必要が無く、意匠性を向上させることができる。
【０１０２】
ここでは、エアフィルタ１６１、１６２の素材として、フレキシブルな素材を採用することで、図１０に示すように、エアフィルタ１６１、１６２の着脱時に要求される柔軟性を与えるようにしてもよい。さらに、このエアフィルタ１６１、１６２の有効表面積を、第１実施形態のエアフィルタ６１、６２の有効表面積よりも、より広い面積としつつ、室内熱交換器４１をより広く覆うようにしてもよい。
【０１０３】
＜第２実施形態＞
以下、本発明の他の一実施形態に係る天井埋め込み型空調室内機２０１を、図面を参照しつつ説明する。
【０１０４】
なお、第１実施形態と同様に、第２実施形態においても、空気調和装置は、屋外に設置されている室外機と冷媒配管を通じて接続されることで構成されている。そして、天井埋め込み型空調室内機２０１は、格子状の天井に設置されて、天井裏の空気を吸い込んで調和し、天井下の室内空間に対する調和空気の供給を行う。
【０１０５】
（天井埋め込み型空調室内機２０１）
室内機２０１は、図１１の外観斜視図、図１２の平面視断面図、および、図１３の側面視断面図において示すように、ガス管３１、液管３２、室内熱交換器２４１、室内ファン２４２、ドレンポンプ４８、ドレン配管４９、室内機ケーシング２５０、エアフィルタ６１、６２、６３および電装品箱８０等を備えている。
【０１０６】
室内機２０１が設置される天井および設置方法は、上記第１実施形態と同様である。ガス管３１、液管３２、ドレンポンプ４８、ドレン配管４９、エアフィルタ６１、６２、電装品箱８０、ドレンパン１４、フロートスイッチ１１、および、電磁弁１５についても、上記第１実施形態と同様である。
【０１０７】
室内機ケーシング２５０は、天井裏の空間の空気を内部に取り込むための第１吸い込み口５１が設けられた第１側面５０ａ、第２吸い込み口５２が設けられた第２側面５０ｂ、第３吸い込み口５３が設けられた第３側面５０ｃと、メンテナンスを行うためのメンテナンス面５０ｄと、調和された空気を室内に吹き出すための吹き出し口２５５が設けられた下面２５０ｅと、室内機２０１を吊り下げ状態で天井裏に固定させるための吊金具５９と、を有している。第１吸い込み口５１が設けられた第１側面５０ａと、第２吸い込み口５２が設けられた第２側面５０ｂとは、互いに対向するように位置している。第３側面５０ｃと、メンテナンス面５０ｄとは、互いに対向するように位置している。下面２５０ｅは、第１実施形態で述べた１つの天井パネル７の外縁形状および大きさと略同一の外縁形状および大きさを有している。この下面２５０ｅは、天井において室内機２０１を設置しようとする部分に取り付けられている天井パネル７と、室内機２０１の室内機ケーシング２５０の下面２５０ｅと、を取り替えることで、天井面の意匠性を悪化させることなく簡単に設置することができる。室内機ケーシング２５０の下面２５０ｅは、吹き出し口構成パネル２５５ａを有している。この吹き出し口構成パネル２５５ａは、周囲に設けられている吹き出し口２５５を形作るために、吹き出し口２５５の内側に位置して吹き出し口２５５の内側の縁を構成している。さらに、室内機ケーシング２５０の下面２５０ｅは、外縁を縁取るように、エアフィルタ６１、６２、６３を装着させるためのフィルタカバー２５６、２５７、２５８を有している。吊金具５９は、室内機ケーシング２５０の対角線上外側の４カ所において、外側に突出するようにして形成されている。
【０１０８】
室内ファン２４２は、室内機ケーシング２５０の内部に、軸方向が略鉛直方向となるように配置されたターボファンである。室内ファン２４２は、鉛直方向上方に配置された室内ファンモータ２４２ｍからの駆動力によって回転し、室内機ケーシング２５０の吸い込み口５１、５２、５３を介して天井裏の空気を取りこんで、吹き出し口２５５を介して室内に吹き出すという空気流れを形成する。このようにターボファンを採用することで、室内機２０１を小型化させた場合であっても、風量を確保させやすくなっている。
【０１０９】
室内熱交換器２４１は、室内機ケーシング２５０の内側に、軸方向が鉛直方向となるように略円筒状に配置されており、室内ファン２４２と室内機ケーシング２５０の側面との間に位置している。第１側面５０ａ、第２側面５０ｂおよび第３側面５０ｃ近傍の部分は、それぞれ第１側面５０ａ、第２側面５０ｂおよび第３側面５０ｃに対して平行となるように配置されている。
【０１１０】
（エアフィルタ６１、６２、６３の着脱）
図１４に示すように、エアフィルタ６１、６２、６３は、それぞれ、フィルタカバー２５６、２５７、２５８を、吹き出し口２５５を狭めるように水平方向にスライドさせることで、鉛直方向の支持が解かれ、鉛直方向に着脱できる状態となる。これにより、エアフィルタ６１、６２、６３の交換もしくは洗浄等のメンテナンスを、天井裏に回り込むことなく容易に作業することができる。
【０１１１】
＜第２実施形態の空気調和装置２０１の特徴＞
上記第２実施形態の室内機２０１では、エアフィルタ６１、６２、６３のメンテナンスのためには、フィルタカバー２５６、２５７、２５８を、吹き出し口２５５を狭めるように水平方向にスライドさせるだけでよく、吹き出しのために予め備わっている吹き出し口２５５のスペースを有効利用することができる。このため、エアフィルタ６１、６２、６３のメンテナンス用の空間や部品を新たに採用する必要がないため、エアフィルタ６１、６２、６３の交換が可能な室内機２０１についてさらに小型化させることができている。
【０１１２】
＜第３実施形態＞
以下、本発明の他の一実施形態に係る天井埋め込み型空調室内機３０１を、図面を参照しつつ説明する。
【０１１３】
なお、第１実施形態と同様に、第３実施形態においても、空気調和装置は、屋外に設置されている室外機と冷媒配管を通じて接続されることで構成されている。そして、天井埋め込み型空調室内機３０１は、格子状の天井に設置されて、天井裏の空気を吸い込んで調和し、天井下の室内空間に対して調和空気を供給する。
【０１１４】
（天井埋め込み型空調室内機３０１）
室内機３０１は、図１５の外観斜視図、図１６の平面視断面図、図１７の空気流れの様子を示す平面視断面図、図１８のメンテナンス面側の側面図、および、図１９のメンテナンス面側から見た室内機ケーシング内部の配置構成図において示すように、ガス管３１、液管３２、室内熱交換器３４１、室内ファン３４２、ドレンポンプ４８、ドレン配管４９、室内機ケーシング３５０、電動弁３１５、第１エアフィルタ３６１、第２エアフィルタ３６２、電装品箱３８０、ドレンパン３１４およびフロートスイッチ３１１等を備えている。
【０１１５】
室内機３０１が設置される天井および設置方法は、上記第１実施形態と同様である。ガス管３１、液管３２、ドレンポンプ４８およびドレン配管４９についても、上記第１実施形態と同様である。
【０１１６】
ドレンパン３１４は、図１６、図１９に示すように、室内熱交換器３４１の下方を覆うように配置されている。
【０１１７】
フロートスイッチ３１１は、図１６、図１９に示すように、ドレンパン３１４の上側に配置されており、ドレンパン３１４に溜まった凝縮水の水位を把握することでドレンポンプ４８の駆動制御を開始させたり停止させたりする。
【０１１８】
室内機ケーシング３５０は、天井裏の空間の空気を内部に取り込むための第１吸い込み口５１が設けられた第１側面５０ａ、第２吸い込み口５２が設けられた第２側面５０ｂ、メンテナンスを行うためのメンテナンス面５０ｄと、メンテナンス面５０ｄと対向する第３側面５０ｃと、調和された空気を室内に吹き出すための吹き出し口３５５が設けられた下面３５０ｅと、室内機３０１を吊り下げ状態で天井裏に固定させるための吊金具５９と、を有している。この吊金具５９は、室内機ケーシング３５０の対角線上外側の４カ所において、外側に突出するようにして形成されている。第１吸い込み口５１が設けられた第１側面５０ａと、第２吸い込み口５２が設けられた第２側面５０ｂとは、互いに対向するように位置している。第１側面５０ａの第１吸い込み口５１の内側には、吸い込み空気に作用するように第１エアフィルタ３６１が配置されている。同様に、第２側面５０ｂの第２吸い込み口５２の内側には、吸い込み空気に作用するように第２エアフィルタ３６２が配置されている。
【０１１９】
メンテナンス面５０ｄには、外側から見た側面視において左側端部近傍に第１エアフィルタ取り出し開口３５６ｔが、右側端部近傍に第２エアフィルタ取り出し開口３５７ｔが、それぞれ設けられている。これらは、それぞれ、第１エアフィルタ３６１および第２エアフィルタ３６２の端部の厚みおよび高さ寸法に沿うような形状の開口であり、第１エアフィルタ３６１および第２エアフィルタ３６２をメンテナンス面５０ｄの垂線方向に引き出すことで、着脱自在になっている。
【０１２０】
また、メンテナンス面５０ｄの外側には、電装品箱３８０、点検口３１９、および、点検口蓋３１２が設置されている。電装品箱３８０の室内熱交換器３４１側の側面は、室内機ケーシング３５０のメンテナンス面５０ｄの一部によって構成されている。なお、電装品箱３８０の他の面は、室内機ケーシング３５０の外側に配置された板状部材によって構成されている。電装品箱３８０には、室内機ケーシング内の各構成部品を制御するための制御基板等が配置されている。点検口３１９は、メンテナンス面５０ｄの中央近傍において板厚方向に貫通した開口であり、この開口を介して、ユーザやサービスエンジニアは、メンテナンス面５０ｄ側から室内機ケーシング３５０の内部に、容易にアクセスすることができる。なお、この点検口３１９は、幅方向が３０ｃｍ以上、高さ方向が２０ｃｍ以上であることが好ましく、幅方向が５０ｃｍ以上、高さ方向が４０ｃｍ以上であることがさらに好ましい。点検口蓋３１２は、この点検口３１９を覆っている蓋であり、開いた状態を示す図２０および閉じた状態を示す図２１のように、ネジ３１７によって、点検口３１９の四隅近傍において螺着される。なお、点検口蓋３１２は、電装品箱３８０側端部近傍が外側に膨出した配線ガード部３１２ａを有している。点検口３１９は、電装品箱３８０が配置されている側の端部近傍において外側に突出した切り欠き部３１９ａを有している。また、電装品箱３８０は、図２０に示すように、点検口蓋３１２側の面の内側近傍において左右方向に貫通した開口３８０ａを有している。そして、点検口蓋３１２を閉じた状態においても、室内機ケーシング３５０内部からの各種接続配線３１８を、電装品箱３８０内部の制御基板等に接続できるように、各種配線３１８は、点検口蓋３１２の配線ガード部３１２ａの内側の切り欠き部３１９ａ近傍を通過して、電装品箱３８０の開口３８０ａを通過し、電装品箱３８０内の制御基板等まで伸びている。なお、このような各種配線３１８としては、例えば、ドレンポンプ４８、フロートスイッチ３１１、電動弁３１５、ファンモータ３４２ｍ、および、サーミスタ（図示せず）等から伸びる配線が含まれている。
【０１２１】
室内熱交換器３４１の上面視における一端および他端は、いずれもメンテナンス面５０ｄ側近傍に配置されている。室内熱交換器３４１の一端側には一端側支持板３５０ｘが、室内熱交換器３４１の他端側には他端側支持板３５０ｙが、それぞれ設けられている。一端側支持板３５０ｘおよび他端側支持板３５０ｙは、それぞれ伝熱管を板厚方向に貫通させており、室内機ケーシング３５０のメンテナンス面５０ｄ側まで延びて、メンテナンス面５０ｄにおいて固定されている。なお、この一端側支持板３５０ｘおよび他端側支持板３５０ｙは、それぞれ鉛直方向に延びており、室内機ケーシング３５０のメンテナンス面５０ｄと共同して、室内熱交換器３４１の風上側と風下側とを仕切っている。これにより、メンテナンス面５０ｄのうち、一端側支持板３５０ｘの固定部分および他端側支持板３５０ｙの固定部分で囲まれた部分は、室内熱交換器３４１の風下側に位置していることになる。また、メンテナンス面５０ｄのうち、一端側支持板３５０ｘの固定部分および他端側支持板３５０ｙの固定部分で囲まれた部分以外の部分は、室内熱交換器３４１の風上側に位置していることになる。
【０１２２】
メンテナンス面５０ｄに設けられている点検口３１９は、一端側支持板３５０ｘの固定部分と他端側支持板３５０ｙの固定部分とによって囲まれた部分に位置するように設けられている。このため、点検口３１９は、室内熱交換器３４１の風下側に位置している。なお、上述したように、ドレンポンプ４８、ドレン配管４９とガス管３１と液管３２の室内機ケーシング３５０内の部分、フロートスイッチ３１１、電動弁３１５、および、ファンモータ３４２ｍについてメンテナンスする際は、点検口３１９側からアクセスするだけメンテナンス作業を行うことができる。このため、メンテナンスに際してアクセスする方向を変える手間を省くことができる。
【０１２３】
メンテナンス面５０ｄに設けられている電装品箱３８０は、上述したように、室内機ケーシング３５０のメンテナンス面５０ｄの一部によって構成された室内熱交換器３４１側の側面と、室内機ケーシング３５０の外側に配置された板状部材で構成されている他の面と、を有している。そして、この電装品箱３８０のうちの板状部材で構成された他の面とメンテナンス面５０ｄとの接触部分は、いずれも、一端側支持板３５０ｘに対して風上側に位置している。すなわち、電装品箱３８０のうち室内熱交換器３４１側の側面は、室内熱交換器３４１の風上側に位置しており、熱交換される前の空気流れ雰囲気下にさらされている。また、電装品箱３８０のうちの板状部材で構成された他の面についても同様に、室内熱交換器３４１の風上側に位置しており、熱交換される前の空気流れ雰囲気下にさらされている。このため、電装品箱３８０は、その一部ではなく全体が、室内熱交換器３４１の風上側に位置し、熱交換される前の空気流れ雰囲気下にさらされていることになる。このため、電装品箱３８０には、周囲の雰囲気の違いによる温度差が生じにくいため、結露が発生しにくい。
【０１２４】
この室内熱交換器３４１から伸びるガス管３１および液管３２は、メンテナンス面５０ｄを貫通して外側に伸びている。また、ドレン配管４９も同様に、メンテナンス面５０ｄを貫通して外側に伸びている。そして、電動弁３１５については、図１６および図１９に示すように、室内機ケーシング３５０の内部であって、メンテナンス面５０ｄ側近傍に配置されている。
【０１２５】
下面３５０ｅは、第１実施形態で述べた１つの天井パネル７の外縁形状および大きさと略同一の外縁形状および大きさを有している。この下面３５０ｅは、天井において室内機３０１を設置しようとする部分に取り付けられている天井パネル７と取り替えることで、天井面の意匠性を悪化させることなく簡単に設置することができる。室内機ケーシング３５０の下面３５０ｅは、吹き出し口構成パネル３５５ａを有している。この吹き出し口構成パネル３５５ａは、周囲に設けられている吹き出し口３５５を形作るために、吹き出し口３５５の内側に位置しており、その外縁が吹き出し口３５５の内側の縁を構成している。このように、室内機ケーシング３５０の下面３５０ｅでは、吹き出し口構成パネル３５５ａの外縁の全てが吹き出し口３５５の内縁を構成しているため、吹き出し口３５５を介した室内への調和空気の供給を、室内ファン３４２の回転軸に対する３６０°の全ての方向に向けて行うことができる。
【０１２６】
室内ファン３４２は、軸方向が略鉛直方向となるようにして室内機ケーシング３５０の内部に配置されたターボファンである。室内ファン３４２は、室内機ケーシング３５０の吸い込み口５１、５２を介して天井裏の空気を取りこんで、吹き出し口３５５を介して室内に吹き出すという空気流れＦ３０１を形成する。このようにターボファンを採用することで、室内機３０１を小型化させた場合であっても、風量を確保させやすくなっている。
【０１２７】
なお、回転駆動時の室内ファン３４２の外縁の上方には、ベルマウス３４２ｂが設けられている。このベルマウス３４２ｂは、第１吸い込み口５１および第２吸い込み口５２を介して取りこまれる空気流れＦ３０１の進行方向をなだらかに曲げつつ、吹き出し口３５５に導くことができる。このベルマウス３４２ｂは、空気流れＦ３０１を室内ファン３４２の回転半径方向外側から筒状に覆う形状となっており、上方に向かうにつれて径方向の長さが大きくなるように形成されている。このように、室内ファン３４２の上方にこのような形状のベルマウス３４２ｂが配置されていることで、室内機ケーシング３５０の第１吸い込み口５１および第２吸い込み口５２を介した空気の取り込み、および、吹き出し口３５５を介した室内側への調和空気の供給を容易にすることができている。
【０１２８】
そして、室内ファン３４２は、上面視の外縁が吹き出し口３５５の内側に位置するように配置されている。このため、空気流れＦ３０１のうち、室内ファン３４２を通過した後の進行方向に径方向成分を生じさせることができる。さらに、室内ファン３４２によって径方向成分を有することとなった空気流れＦ３０１は、より外側に配置されている吹き出し口３５５を介することで、径方向成分を維持もしくは増大させながら室内に調和空気を提供することができる。このように、空気流れＦ３０１に径方向成分を含ませることができ、吹き出し口３５５から鉛直下向きに向かう成分だけではないため、室内のユーザに与えるドラフト感を低減させることができる。
【０１２９】
（第１エアフィルタ３６１および第２エアフィルタ３６２の着脱）
図１６に示すように、第１エアフィルタ３６１および第２エアフィルタ３６２は、それぞれ、メンテナンス面５０ｄの外側から第１エアフィルタ取り出し開口３５６ｔおよび第２エアフィルタ取り出し開口３５７ｔにそれぞれアクセスし、メンテナンス面５０ｄの垂線方向に引き出すことで、容易に着脱することができる。これにより、メンテナンス面５０ｄ側からのアクセスを行うだけで、第１エアフィルタ３６１および第２エアフィルタ３６２のいずれについても交換、洗浄等のメンテナンスを行うことが可能になる。このため、室内機ケーシング３５０の第１側面５０ａ、第２側面５０ｂ、第３側面５０ｃ等の他の面側からアクセスする必要が無くなり、メンテナンス面５０ｄ側からアクセスするだけで交換等のメンテナンス作業を行うことができる。
【０１３０】
なお、第１エアフィルタ取り出し開口３５６ｔを開閉可能なカバー、および、第２エアフィルタ取り出し開口３５７ｔを開閉可能なカバー、を必要に応じてそれぞれ設けるようにしてもよい。
【０１３１】
＜第３実施形態の空気調和装置３０１の特徴＞
（１）
上記第３実施形態の室内機３０１では、メンテナンス面５０ｄ側に第１エアフィルタ取り出し開口３５６ｔおよび第２エアフィルタ取り出し開口３５７ｔが設けられているため、メンテナンス面５０ｄ側からアクセスするだけで、第１エアフィルタ３６１および第２エアフィルタ３６２のいずれについても交換、洗浄等のメンテナンスを行うことができる。
【０１３２】
（２）
メンテナンス面５０ｄ側には、第１エアフィルタ取り出し開口３５６ｔや第２エアフィルタ取り出し開口３５７ｔだけでなく、電装品箱３８０、点検口３１９、点検口蓋３１２、ドレン配管４９、ガス管３１および液管３２が、集められており、メンテナンス面５０ｄ側からアクセスするだけで、他の面からのアクセスを行うことなく、これらのメンテナンスを行うことが可能になる。そして、このようなメンテナンスを行うために、第１エアフィルタ３６１および第２エアフィルタ３６２の取り出しが可能なスペース等のメンテナンススペースをメンテナンス面５０ｄ側にのみ確保すればよいため、メンテナンススペースを確保して設置する場合であっても、設置スペースを狭小化させることができる。また、例えば、メンテナンス面５０ｄ側ではない室内機ケーシング３５０の側面を、室内の壁面近傍に配置したとしても、メンテナンススペースを確保することが可能になる。
【０１３３】
そして、メンテナンス面５０ｄには、中央近傍において板厚方向に貫通した点検口３１９が設けられている。この点検口３１９は、室内熱交換器３４１の内側の空間、すなわち室内熱交換器３４１の風下側の空間に対して面するように設けられている。このため、室内熱交換器３４１の風下側の空間に配置されている電磁弁３１５、フロートスイッチ３１１、ドレンポンプ４８およびサーミスタ（図示せず）等に対して、点検口３１９を介してアクセスすることができる。また、電磁弁３１５、フロートスイッチ３１１、ドレンポンプ４８およびサーミスタ（図示せず）等は、メンテナンス面５０ｄ近傍に配置されているため、点検口３１９を介したアクセスがより容易になっている。このため、ユーザやサービスエンジニアは、図２０に示すように、点検口蓋３１２を取り外した状態で、この点検口３１９を介して室内機ケーシング３５０内部に配置されている電磁弁３１５、フロートスイッチ３１１、ドレンポンプ４８およびサーミスタ（図示せず）等に容易にアクセスできるため、ドレンパン３１４や室内機ケーシング３５０の下面３５０ｅを室内側に降ろすことなく、容易にメンテナンスすることが可能になる。
【０１３４】
（３）
吹き出し口３５５から室内へと吹き出される空気流れＦ３０１は、ユーザの居る場所に直接向かうのではなく、室内ファン２４２の回転軸に対する径方向外側に向かう成分を進行方向の成分に含ませることができている。このため、室内のユーザに与えるドラフト感を低減させることができている。
【０１３５】
さらに、この室内機３０１では、吹き出される調和空気の進行方向を急激に変更するのではなく、吹き出し口３５５と室内ファン３４２とを協働させて空気流れＦ３０１の進行方向を徐々に径方向外側に向けることができている。このため、例えば、図３に示すように、プロペラファンである室内ファン４２によって形成された空気流れＦ１の進行方向を、吹き出し口５５に配置された整流羽根等によって急激に径方向外側に向きを変える場合と比較して、通風抵抗を小さく抑えることができている。このように、通風抵抗を小さく抑えることで、調和空気の到達距離を増大させることができ、また、運転時に生じる送風音を小さく抑えることも可能になっている。
【０１３６】
また、室内機３０１では、室内ファン３４２の下方に吹き出し口構成パネル３５５ａを配置させることで、室内ファン３４２の下方を閉鎖することができており、室内側から見た場合のデザインに、フラットな印象を与えることができている。
【０１３７】
さらに、図２５に示すように、従来の室内機９０１のベルマウス９４２ｂは、室内ファン９４２の下方に配置されているのに対して、図１７に示すように、上記第３実施形態の室内機３０１は、ベルマウス３４２ｂは、室内ファン３４２の上方に配置されている。これにより、室内機ケーシング３５０の第１吸い込み口５１および第２吸い込み口５２を介した空気の取り込み、および、吹き出し口３５５を介した室内側への調和空気の供給を、通風抵抗を抑えながら実現することができている。
【０１３８】
（４）
上記第３実施形態と異なり、仮に、熱交換前の空気と熱交換後の空気との両方に触れる位置に電装品箱が配置されている場合には、電装品箱のある部分と他の部分との間に温度差が生じることになり、結露が発生するおそれがある。
【０１３９】
これに対して、上記第３実施形態の電装品箱３８０は、室内熱交換器３４１の風上側に位置しており、熱交換される前の空気流れ雰囲気下にその全体がさらされている。このため、電装品箱３８０に生じる温度差を抑えることができ、電装品箱３８０の内側の面に断熱材を設けなくても、結露の発生を抑制することができる。
ている。
【０１４０】
＜第３実施形態の変形例＞
以上、本発明の第３実施形態について図面に基づいて説明したが、具体的な構成は、これに限られるものではなく、発明の要旨を逸脱しない範囲で変更可能である。
【０１４１】
（Ａ）
上記第３実施形態では、室内機ケーシング３５０の吸い込み口が、第１吸い込み口５１および第２吸い込み口５２の２つである場合を例に挙げて説明した。
【０１４２】
しかし、本発明はこれに限られるものではない。
【０１４３】
例えば、第２実施形態において示したように、メンテナンス面５０ｄに対向する面においても吸い込み口を設けるようにしてもよい。その場合には、第２実施形態に示すように、各吸い込み口に対応する位置にフィルタを配置するようにしてもよく、そのフィルタを上下方向にスライドさせて着脱する第２実施形態で示したような機構を採用してもよい。
【０１４４】
また、第１実施形態の変形例（Ｂ）において示したように、メンテナンス面５０ｄに対向する側面から、フィルタを水平方向にスライドさせることで着脱を行う構成を採用してもよい。
【０１４５】
（Ｂ）
上記第３実施形態では、室内機ケーシング３５０のメンテナンス面５０ｄ側に設けられ電装品箱３８０の全体が、室内熱交換器３４１の風上側に配置されている場合について、例に挙げて説明した。
【０１４６】
これに対して、例えば、電装品箱は、全体が完全に、室内熱交換器３４１の風上側に配置されていなくてもよい。例えば、電装品箱の外表面の９割以上の部分が室内熱交換器３４１の風上側の空間に面するように配置してもよい。この場合においても、電装品箱のうち室内熱交換器３４１の風上側に位置している部分については結露の発生を抑制することができる。これにより、電装品箱における結露水の発生を実質的に抑制させることができ、この場合も断熱材を省略することが可能になる。
【０１４７】
＜第４実施形態＞
以下、本発明の他の一実施形態に係る天井埋め込み型空調室内機４０１を、図面を参照しつつ説明する。
【０１４８】
なお、第１実施形態と同様に、第４実施形態においても、空気調和装置は、屋外に設置されている室外機と冷媒配管を通じて接続されることで構成されている。そして、天井埋め込み型空調室内機４０１は、格子状の天井に設置されて、天井裏の空気を吸い込んで調和し、天井下の室内空間に対する調和空気の供給を行う。
【０１４９】
（天井埋め込み型空調室内機４０１）
室内機４０１は、図２２の外観斜視図、および、図２３の平面視断面図において示すように、ガス管３１、液管３２、室内熱交換器４４１、室内ファン４４２、ドレンポンプ４８、ドレン配管４９、室内機ケーシング４５０、第１エアフィルタ４６１、第２エアフィルタ４６２、第３エアフィルタ４６３、電動弁４１５、点検口４１９、配線ガード部４１２ａを有する点検口蓋４１２、フロートスイッチ４１１、電装品箱４８０よびドレンパン４１４等を備えている。
【０１５０】
室内機４０１が設置される天井および設置方法は、上記第１実施形態と同様である。ガス管３１、液管３２、ドレンポンプ４８、ドレン配管４９および吊金具５９についても、上記第１実施形態と同様である。なお、電動弁４１５、点検口４１９、配線ガード部４１２ａを有する点検口蓋４１２、フロートスイッチ４１１、電装品箱４８０、室内ファン４４２、一端側支持板４５０ｘおよび他端側支持板３５０ｙ等については、それぞれ、第３実施形態の電動弁３１５、点検口３１９、配線ガード部３１２ａを有する点検口蓋３１２、フロートスイッチ３１１、電装品箱３８０、室内ファン３４２、一端側支持板３５０ｘおよび他端側支持板３５０ｙと同様である。
【０１５１】
室内熱交換器４４１は、平面視略四角形状の室内機ケーシング４５０の内部において、メンテナンス面５０ｄ側に配置された両端部を除いて、第１側面５０ａ、第２側面５０ｂ、第３側面５０ｃにそれぞれに沿うように、配置されている。
【０１５２】
ドレンパン４１４は、図２３に示すように、室内熱交換器４４１の下方を覆うように配置されている。
【０１５３】
室内機ケーシング４５０は、天井裏の空間の空気を内部に取りこむための第１吸い込み口５１が設けられた第１側面５０ａ、第２吸い込み口５２が設けられた第２側面５０ｂ、メンテナンスを行うためのメンテナンス面５０ｄと、第３吸い込み口５３設けられメンテナンス面５０ｄと対向する第３側面５０ｃと、調和された空気を室内に吹き出すための吹き出し口４５５が設けられており、独立した１つの部材としての下面４５０ｅと、を有している。第１吸い込み口５１が設けられた第１側面５０ａと、第２吸い込み口５２が設けられた第２側面５０ｂとは、互いに対向するように位置している。第１側面５０ａの第１吸い込み口５１の内側には、吸い込み空気に作用するように第１エアフィルタ４６１が配置されている。同様に、第２側面５０ｂの第２吸い込み口５２の内側には、吸い込み空気に作用するように第２エアフィルタ４６２が配置されている。また、第３側面５０ｃの第３吸い込み口５３の内側には、吸い込み空気に作用するように第３エアフィルタ４６３が配置されている。
【０１５４】
下面４５０ｅは、第１実施形態で述べた１つの天井パネル７の外縁形状および大きさと略同一の外縁形状および大きさを有している。この下面４５０ｅは、天井において室内機４０１を設置しようとする部分に取り付けられている天井パネル７と取り替えることで、天井面の意匠性を悪化させることなく簡単に設置することができる。室内機ケーシング４５０の下面４５０ｅは、吹き出し口構成パネル４５５ａを有している。この吹き出し口構成パネル４５５ａは、周囲に設けられている吹き出し口４５５を形作るために、吹き出し口４５５の内側に位置しており、その外縁が吹き出し口４５５の内側の縁を構成している。
【０１５５】
この下面４５０ｅには、図２３において一点鎖線で示すように、第１エアフィルタ４６１の下方に設けられた第１エアフィルタ取り出し開口４５６ｔが、第２エアフィルタ４６２の下方に設けられた第２エアフィルタ取り出し開口４５７ｔが、第３エアフィルタ４６３の下方に設けられた第３エアフィルタ取り出し開口４５８ｔが、それぞれ設けられている。また、下面４５０ｅには、図２２に示すように、第１エアフィルタ取り出し開口４５６ｔを開閉可能にするための第１フィルタカバー４５６、第２エアフィルタ取り出し開口４５７ｔを開閉可能にするための第２フィルタカバー４５７、および、第３エアフィルタ取り出し開口４５８ｔを開閉可能にするための第３フィルタカバー４５７が、それぞれ設けられている。これらの第１エアフィルタ取り出し開口４５６ｔ等は、いずれも第１フィルタ４６１等の平面視の形状および寸法よりもわずかに大きな開口を構成している。例えば、第１フィルタカバー４５６を開けることで、室内側からの第１エアフィルタ取り出し開口４５６ｔを介した、第１フィルタ４６１の着脱が可能になり、交換、洗浄等のメンテナンスが可能になっている。
【０１５６】
さらに、下面４５０ｅには、下面視における対称性を確保するように、メンテナンス面５０ｄ側近傍において、第３エアフィルタ取り出し開口４５８ｔに対向する位置に、開口４５９ｔが設けられている。そして、図２３に示すように、この開口４５９ｔを開閉可能にするための、カバー４５９が設けられている。ただし、この開口４５９ｔおよびカバー４５９の上方には、フィルタ等が存在していない。
【０１５７】
＜第４実施形態の空気調和装置４０１の特徴＞
上記第４実施形態の室内機４０１では、室内機ケーシング４５０の下面４５０ｅが、独立した部品を構成しており、下面視において、第１フィルタカバー４５６等の対称性を確保した形状となっており、４辺のいずれにおいてもフィルタを着脱するための開口（第１エアフィルタ取り出し開口４５６ｔ、第２エアフィルタ取り出し開口４５７ｔ、第３エアフィルタ取り出し開口４５８ｔおよび開口４５９ｔ）が配置された構造になっている。このため、例えば、室内機４０１を天井に設置しようとする者は、天井パネル７と室内機ケーシング４５０の下面４５０ｅとを交換して設置する際に、下面４５０ｅの方向性を確認する必要がなく、設置作業の負担が軽減されている。
【０１５８】
すなわち、下面４５０ｅは、天井パネル７が存在していた部分に嵌め込むことができる姿態であれば、どのような方向で設置しても、他の部品（例えば、第１エアフィルタ４６１、第２エアフィルタ４６２、第３エアフィルタ４６３、室内熱交換器４４１等）がどのように下面４５０ｅの上方に配置されたとしても、これらの他の部品の機能を発揮させることが可能になり、第１エアフィルタ４６１等の室内側からの着脱も可能になる。
【０１５９】
なお、このように、上方にはフィルタ等が存在していない第４エアフィルタ取り出し開口４５９ｔを介して、ユーザやサービスエンジニアが室内機ケーシング４５０の内部に到達することができる場合には、室内機ケーシング４５０内のメンテナンス面５０ｄ側に集めて配置された電磁弁４１５、フロートスイッチ４１１、ドレンポンプ４８およびサーミスタ（図示せず）を、ドレンパン４１４や室内機ケーシング４５０の下面４５０ｅを室内側に降ろすことなく、メンテナンスすることが可能になる。
【０１６０】
＜その他＞
以上、本発明の実施形態について、いくつかの例を挙げて説明したが、本発明はこれらに限られない。例えば、上記記載から当業者が実施可能な範囲で、上述の実施形態の異なる部分を適宜組み合わせて得られる組合せ実施形態も、本発明に含まれる。
【産業上の利用可能性】
【０１６１】
本発明を利用すれば、ショートサーキットを小さく抑えつつ、小型化させることが可能なため、天井に設置される天井埋め込み型空調室内機において特に有用である。
【符号の説明】
【０１６２】
１  天井埋め込み型空調室内機
７  天井パネル
８  天井枠（枠）
３１  ガス管（伝熱管）
３２  液管（伝熱管）
４１、２４１、４４１  室内熱交換器（熱交換器）
４２、２４２、３４２、４４２  室内ファン（ファン、ダーボファン、プロペラファン）
４８  ドレンポンプ（ドレン排水部、ドレン排水管）
４９  ドレン配管（ドレン排水部、ドレン排水管）
５０、１５０、２５０、３５０、４５０  室内機ケーシング
５０ａ、５０ｂ  吸い込み側面
５０ｄ  メンテナンス面（非吸い込み側面、貫通面）
５０ｅ  下面
５１、５２、５３  吸い込み口
５５、２５５、３５５、４５５  吹き出し口
５５ａ  吹き出し口構成部（下面部材）
５６、５７、２５６、２５７、４５６、４５７、４５８、４５９  フィルタカバー
５６ｓ、５７ｓ  フィルタ取り出し口（フィルタ上下収容開口）
６１、６２、３６１、３６２、４６１、４６２、４６３  エアフィルタ（フィルタ）
８０、３８０、４８０  電装品箱（電装品部）
１０１  室内機
１５０  室内機ケーシング
１５６ｓ、１５７ｓ  フィルタ水平収容開口
１６１、１６２  エアフィルタ（フィルタ）
２０１、３０１、４０１  天井埋め込み型空調室内機
３１２、４１２  点検口蓋
３１９、４１９  点検口（点検口）
３５６ｔ、３５７ｔ  第１、２エアフィルタ取り出し開口（フィルタ水平収容開口）
４５６ｔ、４５７ｔ、４５８ｔ  第１〜３エアフィルタ取り出し開口（フィルタ上下収容開口）
４５６、４５７、４５８  第１〜３フィルタカバー（フィルタカバー）
４５９ｔ  開口
４５９  カバー
【先行技術文献】
【特許文献】
【０１６３】
【特許文献１】特開２００１−１２４３６５号公報
【図１】
2010164294.tif 000003
【図２】
2010164294.tif 000004
【図３】
2010164294.tif 000005
【図４】
2010164294.tif 000006
【図５】
2010164294.tif 000007
【図６】
2010164294.tif 000008
【図７】
2010164294.tif 000009
【図８】
2010164294.tif 000010
【図９】
2010164294.tif 000011
【図１０】
2010164294.tif 000012
【図１１】
2010164294.tif 000013
【図１２】
2010164294.tif 000014
【図１３】
2010164294.tif 000015
【図１４】
2010164294.tif 000016
【図１５】
2010164294.tif 000017
【図１６】
2010164294.tif 000018
【図１７】
2010164294.tif 000019
【図１８】
2010164294.tif 000020
【図１９】
2010164294.tif 000021
【図２０】
2010164294.tif 000022
【図２１】
2010164294.tif 000023
【図２２】
2010164294.tif 000024
【図２３】
2010164294.tif 000025
【図２４】
2010164294.tif 000026
【図２５】
2010164294.tif 000027